【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
液体収容容器を使用する装置の容器装着部に装着される容器本体内に、容器本体内の加圧室に供給される加圧流体による圧力で容積が縮小可能な液体収容室が形成されており、前記容器本体の一面に、前記容器装着部内の２箇所に設けられた位置決め手段との嵌合により前記容器本体を位置決めする２つの位置決め嵌合部と、前記容器装着部の液体供給路を前記液体収容室に接続する液体導出部と、前記容器装着部の加圧流体供給路を前記加圧室に接続する加圧流体導入部と、前記容器装着部の接続端子に接続されるデータ記憶手段と、が設けられた液体収容容器であって、
前記容器本体の一面は、前記一面を平面視した場合に、一対の長辺と、一対の短辺とを有しており、
前記２つの位置決め嵌合部、前記加圧流体導入部、前記データ記憶手段のそれぞれは、前記液体導出部に対して、前記容器本体の一面の前記一対の長辺のうち、一方の長辺側に寄せて配置されていることを特徴とする液体収容容器。
【請求項２】
請求項１に記載の液体収容容器であって、
前記容器装着部の誤挿入防止用機構に嵌合する誤挿入防止手段がさらに設けられており、
前記誤挿入防止手段は、前記液体導出部に対して、前記容器本体の一面の前記一方の長辺側に寄せて配置されていることを特徴とする液体収容容器。
【請求項３】
請求項１または２に記載の液体収容容器であって、
前記容器本体の一面に直交する他の面に設けられ、前記容器装着部に装備されたロック片が係合して前記容器本体の前記容器装着部からの抜けを規制するロック部が、前記２つの位置決め嵌合部と略同一平面上に配置されていることを特徴とする液体収容容器。
【請求項４】
請求項１〜３の何れか１項に記載の液体収容容器であって、
前記容器本体は、開放部を有する主要部と、前記主要部の開放部を覆う蓋部とを組み合わせた略直方体状の外観を呈しており、
前記開放部は、前記一対の長辺のうち、他方の長辺と交わる面に沿って設けられており、
前記容器本体内の加圧室は、前記開放部をフィルムで封止することにより形成されていることを特徴とする液体収容容器。
【請求項５】
請求項１〜３の何れか１項に記載の液体収容容器であって、
前記容器本体は、略直方体状の外観を呈しており、
前記容器本体の、前記一対の長辺と交わる一対の面が、前記一対の面を平面視した場合に、他の面よりも大きいことを特徴とする液体収容容器。
【請求項６】
請求項１〜５の何れか１項に記載の液体収容容器であって、
前記２つの位置決め嵌合部、前記加圧流体導入部、前記データ記憶手段、前記液体導出部は、前記容器本体の一面の前記長辺に沿った方向である長手方向に沿って配列されていることを特徴とする液体収容容器。
【請求項７】
請求項６に記載の液体収容容器であって、
前記２つの位置決め嵌合部は、前記容器本体の一面の前記長手方向の両端縁に配置され、前記２つの位置決め嵌合部間に、前記液体導出部と、前記加圧流体導入部と、前記データ記憶手段とが配置されていることを特徴とする液体収容容器。
【請求項８】
請求項７に記載の液体収容容器であって、
前記２つの位置決め嵌合部のうち一方の位置決め嵌合部と、前記液体導出部との間に、前記加圧流体導入部が配置されており、前記位置決め嵌合部のうち他方の位置決め嵌合部と、前記液体導出部との間に、前記データ記憶手段が配置されていることを特徴とする液体収容容器。
【請求項９】
請求項７または８に記載の液体収容容器であって、
前記容器装着部内の２箇所に設けられた位置決め手段はそれぞれ円柱状の位置決めピンであり、
前記２つの位置決め嵌合部のうち、一方の位置決め嵌合部は、前記位置決めピンを緊密に嵌合する断面円形の第１の嵌合孔であり、他方の位置決め嵌合部は、前記位置決めピンを前記容器本体の一面の前記長辺に沿う方向にのみ移動可能に拘束する断面長円形の第２の嵌合孔であることを特徴とする液体収容容器。
【請求項１０】
請求項９に記載の液体収容容器であって、
前記データ記憶手段は、前記第１の嵌合孔に近接して配置されていることを特徴とする液体収容容器。
【手続補正２】
【補正対象書類名】明細書
【補正対象項目名】０００９
【補正方法】変更
【補正の内容】
【０００９】
上記課題を解決することのできる本発明に係る液体収容容器は、液体収容容器を使用する装置の容器装着部に装着される容器本体内に、容器本体内の加圧室に供給される加圧流体による圧力で容積が縮小可能な液体収容室が形成されており、前記容器本体の一面に、前記容器装着部内の２箇所に設けられた位置決め手段との嵌合により前記容器本体を位置決めする２つの位置決め嵌合部と、前記容器装着部の液体供給路を前記液体収容室に接続する液体導出部と、前記容器装着部の加圧流体供給路を前記加圧室に接続する加圧流体導入部と、前記容器装着部の接続端子に接続されるデータ記憶手段と、が設けられた液体収容容器であって、前記容器本体の一面は、前記一面を平面視した場合に、一対の長辺と、一対の短辺とを有しており、前記２つの位置決め嵌合部、前記加圧流体導入部、前記データ記憶手段のそれぞれは、前記液体導出部に対して、前記容器本体の一面の前記一対の長辺のうち、一方の長辺側（短辺方向の片側）に寄せて配置されていることを特徴とする。
【手続補正３】
【補正対象書類名】明細書
【補正対象項目名】００１０
【補正方法】変更
【補正の内容】
【００１０】
このような構成の液体収容容器によれば、一面の一対の長辺のうち、一方の長辺側（容器厚さ方向）の、２つの位置決め嵌合部、加圧流体導入部、データ記憶手段等の接続機構が配置されていない側の容器本体の内部を液体収容室あるいは加圧室としての用途に活用することができることとなり、その内部容積に対する液体収容容器の外形を小さくすることができる。さらに、容器装着部に設けられる各接続機構も容器厚さ方向の片側に偏らせた配置となるため、容器装着部の構成を液体収容容器の厚さ方向で小さくすることにつながり、液体収容容器及び容器装着部の双方を小型化することが可能になる。
【手続補正４】
【補正対象書類名】明細書
【補正対象項目名】００１１
【補正方法】変更
【補正の内容】
【００１１】
また、本発明に係る上記液体収容容器において、前記容器装着部の誤挿入防止用機構に嵌合する誤挿入防止手段がさらに設けられており、前記誤挿入防止手段は、前記液体導出部に対して、前記容器本体の一面の前記一方の長辺側に寄せて配置されていることが好ましい。
【手続補正５】
【補正対象書類名】明細書
【補正対象項目名】００１２
【補正方法】変更
【補正の内容】
【００１２】
このような構成の液体収容容器によれば、個々の容器装着部に対して適合した液体収容容器のみを装着可能とする誤挿入防止手段を設ける場合に、位置決め嵌合部等の接続機構が配置された容器本体の一面の一方の長辺側に寄せて配置することで、液体収容容器の内部容積を圧迫することが防がれる。
【手続補正６】
【補正対象書類名】明細書
【補正対象項目名】００１５
【補正方法】変更
【補正の内容】
【００１５】
また、本発明に係る上記液体収容容器において、前記容器本体は、開放部を有する主要部と、前記主要部の開放部を覆う蓋部とを組み合わせた略直方体状の外観を呈しており、前記開放部は、前記一対の長辺のうち、他方の長辺と交わる面に沿って設けられており、前記容器本体内の加圧室は、前記開放部をフィルムで封止することにより形成されていることが好ましい。
【手続補正７】
【補正対象書類名】明細書
【補正対象項目名】００１７
【補正方法】変更
【補正の内容】
【００１７】
また、本発明に係る上記液体収容容器において、前記容器本体は、略直方体状の外観を呈しており、前記容器本体の、前記一対の長辺と交わる一対の面が、前記一対の面を平面視した場合に、他の面よりも大きいことが好ましい。
また、本発明に係る上記液体収容容器において、前記２つの位置決め嵌合部、前記加圧流体導入部、前記データ記憶手段、前記液体導出部は、前記容器本体の一面の前記長辺に沿った方向である長手方向に沿って配列されていることが好ましい。
また、本発明に係る上記液体収容容器において、前記２つの位置決め嵌合部は、前記容器本体の一面の前記長手方向の両端縁に配置され、前記２つの位置決め嵌合部間に、前記液体導出部と、前記加圧流体導入部と、前記データ記憶手段とが配置されていることが好ましい。
また、本発明に係る上記液体収容容器において、前記２つの位置決め嵌合部のうち一方の位置決め嵌合部と、前記液体導出部との間に、前記加圧流体導入部が配置されており、前記位置決め嵌合部のうち他方の位置決め嵌合部と、前記液体導出部との間に、前記データ記憶手段が配置されていることが好ましい。
【手続補正８】
【補正対象書類名】明細書
【補正対象項目名】００２１
【補正方法】変更
【補正の内容】
【００２１】
また、本発明に係る上記液体収容容器において、前記容器装着部内の２箇所に設けられた位置決め手段はそれぞれ円柱状の位置決めピンであり、前記２つの位置決め嵌合部のうち、一方の位置決め嵌合部は、前記位置決めピンを緊密に嵌合する断面円形の第１の嵌合孔であり、他方の位置決め嵌合部は、前記位置決めピンを前記容器本体の一面の前記長辺に沿う方向にのみ移動可能に拘束する断面長円形の第２の嵌合孔であることが好ましい。